(57)【要約】【課題】本発明は、スピーカーを収容した内部空間の圧力変化を容易に解消でき、内部空間の圧力変化に伴う不具合の発生を抑制可能な防水型電気・電子機器の提供を目的とした。【解決手段】オーディオ装置は、本体部に外装カバーを被せて係合させることにより構成される。本体部を構成する脚部の外周部には、突起４１ａがある。また、外装カバー７の内周面には、リブ１１が設けられている。オーディオ装置は、外装カバー７の装着時に、外装カバー７を本体部に対して相対回転させると、リブ１１が突起４１ａの爪部４１ｆに一時的に乗り上げる。これにより、外装カバー７の内周面と脚部３の外周面との間に隙間が形成され、外装カバー７の内外における圧力差が解消される。【選択図】  図８
2008278064.tif 000002
【特許請求の範囲】
【請求項１】
スピーカーを備えた本体部と、当該本体部に対して装着される外装カバーとを有し、
前記スピーカーが、前記本体部に外装カバーを装着することにより形成される内部空間内に配され、
前記スピーカーの振動板が、前記内部空間と外部との境界に配されたものであり、
前記外装カバーが、内側から外側に向かう方向への可撓性を有するものであり、
当該外装カバーの内周面に、外装カバーの周方向に不連続で、外装カバーの内側に向けて突出したカバー側突出部が設けられており、
前記本体部に、当該本体部の外周面と不連続で、本体部の径方向外側に向けて突出した本体側突出部があり、
前記外装カバーを前記本体部に対して装着することにより、前記内部空間が閉止された閉止状態とすることができ、
前記内部空間が閉止状態となった状況において、前記カバー側突出部と本体側突出部とが当接した状態とすることにより、前記外装カバーが内側から外側に向かう方向に変形して前記閉止状態が解除されることを特徴とする防水型電気・電子機器。
【請求項２】
外装カバーの内周面あるいは本体部の外周面のいずれかに、外装カバーあるいは本体部の周方向に伸びる係合溝があり、
当該係合溝内に、カバー側突出部あるいは本体側突出部のいずれか一方が設けられており、
前記係合溝内に、前記カバー側突出部あるいは本体側突出部のうち他方側のものを挿入した状態において前記本体部に外装カバーを装着することにより形成される内部空間を閉止状態とすることができ、
カバー側突出部および本体側突出部が前記係合溝内において周方向に並んだ状態から外装カバーを本体部に対して相対回転させ、カバー側突出部あるいは本体側突出部のいずれか一方が他方を乗り越えた状態とすることにより、外装カバーと本体部とが係合状態になることを特徴とする請求項１に記載の防水型電気・電子機器。
【請求項３】
カバー側突出部および本体側突出部が、それぞれ外装カバーの内周面および本体部の外周面の周方向に一つずつ設けられていることを特徴とする請求項１又は２に記載の防水型電気・電子機器。
【請求項４】
外装カバーに操作ボタンが設けられており、
本体部に前記操作ボタンを操作可能な操作スイッチが設けられており、
外装カバーと本体部とが係合状態になることを条件として操作スイッチに相当する位置に操作ボタンが到来し、当該操作ボタンにより操作スイッチを操作可能になることを特徴とする請求項１〜３のいずれかに記載の防水型電気・電子機器。
【請求項５】
本体部に外装カバーを装着することにより形成される内部空間内に、スピーカーを介して出力する音声の出力制御を行うための制御手段が設けられており、
当該制御手段に対して、前記スピーカーを介して出力される音声の音源となるデータを供給可能な音源手段を着脱可能であることを特徴とする請求項１〜４のいずれかに記載の防水型電気・電子機器。
【請求項６】
本体部に外装カバーを装着することにより形成される内部空間が閉止になった状態において、前記内部空間の内外を連通する連通孔があり、
当該連通孔の途中に、空気の通過を許容し、水の通過を阻止可能な通気膜が配されていることを特徴とする請求項１〜５のいずれかに記載の防水型電気・電子機器。
【発明の詳細な説明】
【技術分野】
【０００１】
本発明は浴室等に設置して使用可能な防水型電気・電子機器に関するものであり、特に内部空間にスピーカーを備えたものに関する。
【背景技術】
【０００２】
従来より、下記特許文献１に開示されている風呂用リモコンのように、浴室等での使用を想定した防水型の電気・電子機器がある。特許文献１に開示されている風呂用リモコンでは、装置本体の内外における温度差や圧力差に起因して誤作動が起こるのを防止すべく、リモコン本体に通気孔を設けると共に、この通気孔に空気は通過するが水は通過しない膜等からなる防湿部材を張設した構成が採用されている。
【０００３】
また、上記したような風呂用リモコン等の防水型電気・電子機器には、当該機器を構成するケースの内部空間に音声を出力可能なようにスピーカーが設けられ、前記内部空間と外部との境界部分に前記スピーカーの振動板が配されたものがある。
【特許文献１】特許第２７５３９７４号公報
【発明の開示】
【発明が解決しようとする課題】
【０００４】
上記したような構成の、スピーカーを備えた防水型電気・電子機器では、ケースの内部空間の内圧によりスピーカーの振動板が変形して音声が出にくくなってしまう可能性があった。また、この状態でスピーカーに音声信号を入力し続けると、スピーカーを構成するボイスコイルが発熱して焼け切れてしまうおそれがあった。
【０００５】
また、上記したリモコンのように、通気孔を設け、これに通気性を有し、水の通過を阻止可能な膜を設けた場合は、機器内外の圧力差を緩やかに解消させることは可能であったが、前記した圧力差を解消するためには時間がかかってしまっていた。そのため、前記した通気孔や膜を設けた構成とした構造とスピーカーとを備えた防水型電気・電子機器については、ケースの開閉を行った後すぐに使用すると音声が出にくかったり、音質が不安定であったりするといったような問題があった。そのため、上記したような構造は、ケースの開閉後、直ちに使用してスピーカーから音声を発生させたいという要望が想定される防水型電気・電子機器には不適当なものであった。
【０００６】
ここで、上記した風呂用リモコンのように据え付けて使用されるものは、ケースの開閉を行うことが極めて希である。そのため、この種の防水型電気・電子機器では、ケースの開閉に伴うスピーカーの振動板の変形や、これに伴う不具合が通常の使用状態において起こる可能性が低いと考えられる。また一般的に、浴室内の室温変化等による内圧変化は緩やかなものである。そのため、上記特許文献１のようなリモコンでは、リモコン本体に通気孔を設けた構成としておくことによりケース内の内部空間の圧力変化に伴うスピーカーの振動板の変形や、これに伴う不具合を解消しうるものと想定される。
【０００７】
しかし、浴室等のような湯水により濡れることが想定される場所に配して使用可能な、いわゆるポータブル型の防水型電気・電子機器では、その電池の交換等のためにケースの開閉が行われ、内部空間の圧力変化が起こる可能性が高い。また、このような構成の防水型電気・電子機器では、ケースの開閉に伴って、ケースの内圧が一時に大幅に変化し、スピーカーの振動板の変形や、これに伴う不具合が頻繁に起こる可能性がある。そのため、スピーカーを収容したケースの開閉が行われることが想定される防水型電気・電子機器では、前記したような内圧変化が起こっても、これを早期に解消し、前記したような不具合の発生を最小限に抑制可能とすることが求められていた。
【０００８】
そこで、かかる課題を解決すべく、本発明は、スピーカーを収容した内部空間の圧力変化を容易に解消でき、内部空間の圧力変化に伴う不具合の発生を抑制可能な防水型電気・電子機器の提供を目的とした。
【課題を解決するための手段】
【０００９】
上記した課題を解決すべく提供される請求項１に記載の発明は、スピーカーを備えた本体部と、当該本体部に対して装着される外装カバーとを有し、前記スピーカーが、前記本体部に外装カバーを装着することにより形成される内部空間内に配され、前記スピーカーの振動板が、前記内部空間と外部との境界に配されたものであり、前記外装カバーが、内側から外側に向かう方向への可撓性を有するものであり、当該外装カバーの内周面に、外装カバーの周方向に不連続で、外装カバーの内側に向けて突出したカバー側突出部が設けられており、前記本体部に、当該本体部の外周面と不連続で、本体部の径方向外側に向けて突出した本体側突出部があり、前記外装カバーを前記本体部に対して装着することにより、前記内部空間が閉止された閉止状態とすることができ、前記内部空間が閉止状態となった状況において、前記カバー側突出部と本体側突出部とが当接した状態とすることにより、前記外装カバーが内側から外側に向かう方向に変形して前記閉止状態が解除されることを特徴とする防水型電気・電子機器である。
【００１０】
本発明の防水型電気・電子機器では、外装カバーを本体部に対して装着して形成される内部空間にスピーカーが配されており、当該スピーカーの振動板が内部空間と外部との境界に配されている。そのため、外装カバーを装着等した際に内部空間の内圧が急激に変化すると、これに連動して振動板が変形した状態になり、音質の変化等の不具合が起こる可能性がある。しかし、本発明の防水型電気・電子機器では、内部空間を閉止状態とした状況であっても、カバー側突出部と本体側突出部とを当接させることにより、前記外装カバーが内側から外側に向かう方向に変形する。これにより、外装カバーと本体部との間に隙間が生じ、内部空間の閉止状態が一時的に解除される。これに伴い、前記した内部空間と外部との圧力差が解消する。そのため、本発明の防水型電気・電子機器では、内部空間の内圧が急激に変化することがあったとしても、これを容易に解消し、内部空間の圧力変化に伴う音質の変化や、スピーカーの故障等といったような不具合の発生を抑制することができる。
【００１１】
請求項２に記載の発明は、外装カバーの内周面あるいは本体部の外周面のいずれかに、外装カバーあるいは本体部の周方向に伸びる係合溝があり、当該係合溝内に、カバー側突出部あるいは本体側突出部のいずれか一方が設けられており、前記係合溝内に、前記カバー側突出部あるいは本体側突出部のうち他方側のものを挿入した状態において前記本体部に外装カバーを装着することにより形成される内部空間を閉止状態とすることができ、カバー側突出部および本体側突出部が前記係合溝内において周方向に並んだ状態から外装カバーを本体部に対して相対回転させ、カバー側突出部あるいは本体側突出部のいずれか一方が他方を乗り越えた状態とすることにより、外装カバーと本体部とが係合状態になることを特徴とする請求項１に記載の防水型電気・電子機器である。
【００１２】
本発明の防水型電気・電子機器では、係合溝内にカバー側突出部あるいは本体側突出部のいずれか一方が挿入された状態となるように外装カバーを本体部に装着し、内部空間を閉止状態にした後、外装カバーを本体部に対して相対回転させることにより外装カバーと本体部とが係合した係合状態とすることができる。そして、外装カバーと本体部とを係合させるために外装カバーを本体部に対して相対回転させる際に、カバー側突出部あるいは本体側突出部のいずれか一方が他方を乗り越える。すなわち、外装カバーと本体部とを係合させる段階において、カバー側突出部と本体側突出部とが当接した状態になり、この際に閉止状態にあった内部空間が一時的に外部と連通した状態になる。これにより、前記内部空間内と外部とで圧力差が生じていたとしても、これが解消されることとなる。すなわち、本発明の防水型電気・電子機器では、外装カバーと本体部とを係合させる際の一連の動作を行うことにより、内部空間と外部との圧力差を解消することができる。従って、本発明の防水型電気・電子機器は、外装カバーの装着に伴って内部空間の内圧が急激に変化したとしても、これを容易に解消し、内部空間の圧力変化に伴う音質の変化等の不具合の発生を抑制することができる。
【００１３】
ここで、上記したように、カバー側突出部と本体側突出部とを当接させることによって外装カバーを弾性変形させ、これにより形成される隙間を利用して内部空間と外部との圧力差を解消する構成とする場合は、前記隙間が大きく開くよう、カバー側突出部や本体側突出部の高さ（突出量）をなるべく大きくとれる構成であることが望ましい。
【００１４】
そこで、かかる知見に基づいて提供される請求項３に記載の発明は、カバー側突出部および本体側突出部が、それぞれ外装カバーの内周面および本体部の外周面の周方向に一つずつ設けられていることを特徴とする請求項１又は２に記載の防水型電気・電子機器である。
【００１５】
かかる構成によれば、カバー側突出部と本体側突出部との当接部分において外装カバーを大きく弾性変形させることができ、内部空間と外部との圧力差を効率よく解消することができる。
【００１６】
ここで、上記したように、本発明の防水型電気・電子機器では、カバー側突出部と本体側突出部とを当接させることによって形成される隙間を利用して内部空間と外部との圧力差を解消する構成としている。そのため、本体部に対する位置関係が不正確なまま外装カバーが装着されると、圧力差を解消できないままスピーカーが作動し、音質が不安定であったり、スピーカーの故障を招来する可能性もある。
【００１７】
そこで、かかる知見に基づいて提供される請求項４に記載の発明は、外装カバーに操作ボタンが設けられており、本体部に前記操作ボタンを操作可能な操作スイッチが設けられており、外装カバーと本体部とが係合状態になることを条件として操作スイッチに相当する位置に操作ボタンが到来し、当該操作ボタンにより操作スイッチを操作可能になることを特徴とする請求項１〜３のいずれかに記載の防水型電気・電子機器である。
【００１８】
本発明の防水型電気・電子機器では、本体部に設けられた操作スイッチに対応する位置に操作ボタンが到来するように外装カバーを装着しなければ、操作スイッチを操作することができない。従って、本発明の防水型電気・電子機器では、本体部に対して適切な位置関係で外装カバーが装着され、内部空間と外部との圧力差が解消された状態でスピーカーが作動することとなり、前記圧力差に起因する音質変化やスピーカーの故障が起こる可能性を最小限に抑制することができる。
【００１９】
請求項５に記載の発明は、本体部に外装カバーを装着することにより形成される内部空間内に、スピーカーを介して出力する音声の出力制御を行うための制御手段が設けられており、当該制御手段に対して、前記スピーカーを介して出力される音声の音源となるデータを供給可能な音源手段を着脱可能であることを特徴とする請求項１〜４のいずれかに記載の防水型電気・電子機器である。
【００２０】
本発明の防水型電気・電子機器では、音源手段を着脱する際に外装カバーを本体部から取り外すこととなる。そのため、音源手段を着脱する度に外装カバーの装着時に内部空間と外部との間に圧力差が発生する可能性がある。しかし、本発明の防水型電気・電子機器では、前記したような圧力差を容易に解消することができる。そのため、本発明の防水型電気・電子機器では、前記した圧力差による音質の変化やスピーカーの不具合が起こらない。
【００２１】
上記請求項１〜５のいずれかに記載の防水型電気・電子機器は、本体部に外装カバーを装着することにより形成される内部空間が閉止になった状態において、前記内部空間の内外を連通する連通孔があり、当該連通孔の途中に、空気の通過を許容し、水の通過を阻止可能な通気膜が配されていることを特徴とするものであってもよい（請求項６）。
【００２２】
かかる構成とすれば、浴室等のように温度変化が大きな場所に設置されても、内部空間と外部との圧力差が発生しにくく、当該圧力差に起因する音質の変化やスピーカーの故障等も起こりにくい防水型電気・電子機器を提供できる。
【発明の効果】
【００２３】
本発明によれば、スピーカーを収容した内部空間の圧力変化を容易に解消でき、内部空間の圧力変化に伴う不具合の発生を抑制可能な防水型電気・電子機器を提供できる。
【発明を実施するための最良の形態】
【００２４】
続いて、本発明の防水型電気・電子機器の一実施形態であるオーディオ装置１について、図面を参照しながら詳細に説明する。なお、以下の説明において、上下の位置関係については、特に断りのない限りオーディオ装置１を通常の使用形態で設置した状態を示す。
【００２５】
オーディオ装置１は、浴室や台所等のように水を使用する環境下において使用することを想定したものであり、特に高温多湿になりうる浴室においても好適に使用可能なものである。オーディオ装置１は、ユーザーが任意の位置に設置可能な、いわゆるポータブル型の装置である。図１に示すように、オーディオ装置１は、本体部２を有し、本体部の中心軸Ｖが鉛直方向に向くように設置した状態で使用される。図２に示すように、後に詳述する本体部２の構成部材である脚部３やこれに取り付けられ一体化された内蔵ケース８に対して外装カバー７を被せて装着することにより内部に水密な空間（水密部４７）が形成されている。図２に示すように、この空間の内部には、後に詳述する制御基板１２ａ，１２ｂやスピーカー５、電池ボックス６等の電気・電子部材が設けられている。
【００２６】
本体部２は、オーディオ装置１の主要部を構成するものであり、図３や図４に示すように外観が円筒状の外装カバー７と、内蔵ケース８とを備えている。外装カバー７は、透光性を有し、半透明で乳白色の樹脂により形成されている。外装カバー７は、一端側が閉塞された筒状の部材であり、天面１５と外周面１６（湾曲面）とを有する。すなわち、外装カバー７は、外周面１６全体が外側に向けて凸状に湾曲した湾曲面を構成している。外装カバー７は、全体として硬質であるが、その開口端側、すなわち下端側の部分が押圧により僅かにその開口部分の径方向に向けて撓むことができる。
【００２７】
図１〜図３、図７等に示すように、外装カバー７は、天面側から開放端側に向けて徐々にその開口領域が拡張した、いわゆる末広がり状の形状とされている。すなわち、本実施形態で採用されている外装カバー７は、ほぼ全体が天面側から開放端側に向けて断面領域が拡張した形状となっている。
【００２８】
外装カバー７の天面１５は、オーディオ装置１の操作部として機能する部分であり、操作用のボタン１７が設けられている。また、図７に示すように、外装カバー７の下端側（開放端側）の内周面には、係合溝９が設けられている。
【００２９】
係合溝９は、後に詳述する脚部３の外周に設けられた突起４１との組み合わせにより、外装カバー７を脚部３側に係合させるための係合手段として機能するものである。係合溝９は、外装カバー７の周方向に伸びる部分（以下、周溝部９ｘとも称す）と、外装カバー７の高さ方向に伸びる部分（以下、縦溝部９ｙとも称す）とが連続した略鈎型の溝である。係合溝９は、外装カバー７の高さ方向に伸びた部分の端部が外装カバー７の開口端（下端）側に解放されている。係合溝９は、外装カバー７の周方向に３箇所設けられており、互いに１２０度離れた位置関係にある。
【００３０】
図７（ｂ）に示すように、上記した３つの係合溝９のうちの一つ（以下、係合溝９ａとも称す）にはリブ１１（カバー側突出部）が設けられている。リブ１１は、係合溝９ａを構成する周溝部９ｘ内に、周溝部９ａを縦断するように設けられている。また、リブ１１は、外装カバー７の内側に向けて突出している。一方、係合溝９ａ以外の２つの係合溝９（以下、係合溝９ｂ，９ｃとも称す）には、リブ１１に相当するものは設けられていない。
【００３１】
図２等に示すように、内蔵ケース８は、ケース本体部２０と、天部２１と、底部２２とを有する樹脂製の部材である。内蔵ケース８は、乳白色の樹脂によって形成されている。すなわち、内蔵ケース８は、上記した外装カバー７と透光性の有無の差はあるが、色相が同一の色とされている。
【００３２】
図３に示すように、ケース本体部２０は、その主要部をなす主構造部２０ａと前面カバー部２０ｂとを一体化することによって構成されている。ケース本体部２０は、円弧部２３と、これに対向した背面部２５によって囲まれた空間Ｐを有する。この空間Ｐ内には、電池ボックス６や制御基板１２ｂ、表示装置２９等が収容されている。
【００３３】
図３に示すように、円弧部２３は、前面カバー部２０ｂによってその大半が構成されており、断面形状が略円弧状となっている。ケース本体部２０は、前面カバー部２０ｂに設けられた開口部２３ａに相当する位置に設けられた表示装置２９（表示部）を視認できる構造となっている。さらに詳細に説明すると、ケース本体部２０は、円弧部２３に正面視が略矩形の開口部２３ａを有している。
【００３４】
表示装置２９は、いわゆるセグメントディスプレイ（Segment Display）を取り付けた電子基板（図示せず）を備えた構成とされている。本実施形態では、表示装置２９として７セグメントディスプレイ(Seven-Segment Display)を備えたものが採用されている。表示装置２９は、いわゆる１４セグメントディスプレイや、１６セグメントディスプレイ、ドットマトリクス・ディスプレイ等を備えた構成とされていてもよい。
【００３５】
図４に示すように、ケース本体部２０の背面部２５には、蓋体２６が着脱自在なように設けられている。蓋体２６は、ケース本体部２０内に設けられた電池ボックス６に相当する位置に設けられている。そのため、ケース本体部２０は、本体部２の軸線方向に沿って形成され、本体部２を縦断する境界面Ｘ（図２、図３を参照）を想定した場合に、この境界面Ｘを境として領域Ｂとは逆側に想定される領域Ａ側から蓋体２６を取り外し、電池ボックス６に対して電池を着脱することができる。
【００３６】
図２や図３等に示すように、天部２１は、上記したケース本体部２０の上端側に設けられた、外観が円筒状の部分である。図２に示すように、天部２１の内部空間Ｑは、上記したケース本体部２０の内部空間Ｐと連通している。天部２１の内部空間Ｑには、オーディオ装置１の制御基板１２ａが収容されている。図２に示すように、制御基板１２ａは、内部空間Ｐ，Ｑ間にわたって配された配線により、ケース本体部２０側に配された制御基板１２ｂに対して電気的に接続されている。
【００３７】
図３に示すように、天部２１の天面２１ａは、平面視が略円形であり、複数の開口２７を備えている。天面２１ａには、図示しない保護シートが貼り付けられており、開口２７を介して湯水が侵入できない構造とされている。各開口２７は、上記した外装カバー７を内蔵ケース８に装着した際に外装カバー７に設けられた各ボタン１７が到来するように位置あわせして設けられている。
【００３８】
図２に示すように、天部２１内に収容されている制御基板１２ａは、オーディオ装置１を作動させるための電子部品に加え、オーディオ装置１の操作を行うための押圧式のスイッチ３０や、外部メモリに接続するための接続端子３１を備えている。本実施形態では、接続端子３１としてＵＳＢ（Universal Serial Bus）端子を備えている。スイッチ３０は、天部２１の天面２１ａに設けられた開口２７を介して操作可能とされている。また、接続端子３１は、一般的にＵＳＢメモリやＵＳＢフラッシュメモリ、ＵＳＢフラッシュドライブ等と称されるものに代表される外部メモリ３３（音源手段）の端子を接続することができるものである。本実施形態では、外部メモリ３３の端子を天部２１の底面２１ｃに設けられた開口２８を介して差し込むことにより、外部メモリ３３を制御基板１２ａに接続可能とされている。
【００３９】
上記したように、制御基板１２ａは、制御基板１２ｂに電気的に接続されている。そして、制御基板１２ａの接続端子３１に接続されたＵＳＢメモリ等の外部メモリ３３に記録されている音声データ、すなわち音声信号をデジタルデータに変換したデータは、制御基板１２ａに読み込まれ、制御基板１２ｂ側に伝達される。具体的には、制御基板１２ａは、外部メモリ３３にＷＡＶ形式で記録された音声データや、ＭＰ３（MPEG Audio Layer-3）形式やＡＡＣ（Advanced Audio Coding）形式に代表される音声圧縮方式で記録された音声データを読み込み、これを制御基板１２ｂに伝達する機能を有する。また、制御基板１２ｂは、制御基板１２ａ側から伝達されてきた音声データをスピーカー５を介して再生する機能を備えている。
【００４０】
図３等に示すように、ケース本体部２０の下端側には底部２２が設けられている。底部２２は、上記したケース本体部２０の下方に連続した円筒状の円筒部２４ａと、フランジ部２４ｂと、係合部２４ｃとを有する。円筒部２４ａは、外径が上記した天部２１よりも小さく、天部２１と軸心位置が一致している。底部２２は、通常の設置状態において上側となる位置にケース本体部２０の背面部２５よりも領域Ａ側に張り出した部分があり、当該部分が底部天面２２ａによって閉塞されている。一方、底部２２の下端側の部分は、フランジ部２４ｂの中央にある底部開口２４ｄを介して開放されている。底部２２内の空間Ｒは、後に詳述するスピーカー５のスピーカー本体部４０を嵌め込むための空間として機能すると共に、ケース本体部２０の空間Ｐの内外を連通する部分としても機能する。外周面２２ｂは、領域Ａ側の部分に周部開口２２ｃを有する。底部２２内の空間Ｒは、周部開口２２ｃを介してケース本体部２０の内部空間Ｐと連通している。
【００４１】
図３等に示すように、底部２２のフランジ部２４ｂの下面側には筒部２４ｅが設けられている。筒部２４ｅは、フランジ部２４ｂから下方に向けて突出した筒状の部分である。係合部２４ｃの内部空間は、上記した底部２２の内部空間Ｒと連続している。筒部２４ｅの内部空間は、前記内部空間Ｒと同様に、スピーカー５を収容するために使用される。
【００４２】
図２や図６（ｂ）に示すように、フランジ部２４ｂの裏面側、すなわち筒部２４ｅが設けられた側の面には、係合部２４ｃが設けられている。係合部２４ｃは、図６（ｂ）に示すように、後述する脚部３の切欠部３ｇと係合する部分である。また、フランジ部２４ｂの領域Ａ側の位置であって、係合部２４ｃに相当する位置には、通気用縦貫通孔５０が設けられている。通気用縦貫通孔５０は、フランジ部２４ｂおよび係合部２４ｃの厚み方向、すなわち内蔵ケース８の軸方向に伸びている。
【００４３】
本体部２において、内蔵ケース８の底部２２に対してさらに下方側の位置には、脚部３が取り付けられている。脚部３は、本体部２をオーディオ装置１の設置面から上方に浮かせた状態で支持するための支持体としての機能を有する。これに加えて、脚部３は、スピーカー５を取り付けるためのスピーカ設置手段としての機能を有する。さらに、脚部３は、底部２２の貫通孔３７内に収まるように取り付けられたスピーカー５から放射される音の反射板としての機能も有する。
【００４４】
図３に示すように、脚部３は、スピーカー収容部３ａと、脚天部３ｂと、脚底部３ｃと、立設部３ｄとを有する。スピーカー収容部３ａは、図２や図３等に示すように円筒状である。スピーカー収容部３ａの外径は、上記した本体部２のフランジ部２４ｂの外径と略同一とされている。図３や図６（ａ）に示すように、スピーカー収容部３ａの内側には切欠部３ｇが設けられている。切欠部３ｇは、スピーカ収容部３ａの内周壁の一部を切り欠いて形成されたものである。切欠部３ｇは、スピーカー収容部３ａの上方から下方に向かうに従ってスピーカー収容部３ａの径方向外側から内側に向けて傾斜した傾斜面３ｈを有する。傾斜面３ｈの傾斜は、上記した内蔵ケース８の底部２２を構成する係合部２４ｃの下面側の傾斜と略同一とされている。
【００４５】
脚部３の外周には、外装カバー７の内周面に設けられた係合溝９と係合可能な突起４１が３つ、脚部３の周方向に略等間隔に形成されている。３つの突起４１のうちの一つ（以下、突起４１ａとも称す）は、上記した内蔵ケース８の底部２２において周部開口２２ｃが設けられた側の部分に設けられている。すなわち、脚部３の外周であって、上記した通気用縦貫通孔５０が設けられた部位の近傍の位置に突起４１ａが設けられている。図３に示すように、残りの２つの突起４１（以下、突起４１ｂ，４１ｃとも称す）についても、脚部３の外周に設けられている。突起４１ｂ，４１ｃは、それぞれ突起４１ａに対して時計回り方向および反時計回り方向に１２０度ずれた位置に設けられている。
【００４６】
上記した３つの突起４１ａ〜４１ｃは、いずれも外装カバー７の内周面に設けられた鈎状の係合溝９ａ〜９ｃに沿って摺動し、係合可能な大きさとされている。また特に、図５（ｂ）に示すように、外装カバー７の装着時に係合溝９ａと係合する突起４１ａについては、突起４１ｂ，４１ｃとは異なり、その長さ方向（脚部３の周方向）の中途に段部４１ｅが設けられている。段部４１ｅは、係合溝９ａの周溝部９ｘ内に設けられたリブ１１が係合可能な大きさとされている。
【００４７】
換言すれば、突起４１ａは、図５（ｂ）や図８（ａ）に示すように、正面視した状態において段部４１ｅを境として右端側の部分に、脚部３の外周面よりも径方向外側に突出した爪部４１ｆ（本体側突出部）を有する。また、段部４１ｅを境として左側の部分には、爪部４１ｆと同様に脚部３の外周面よりも径方向外側に突出した後端部４１ｇを有する。爪部４１ｆは、段部４１ｅよりも脚部３の径方向外側に突出している。
【００４８】
ここで、外装カバー７を脚部３に対して装着する場合、突起４１ａを正面視した状態において、外装カバー７は、図５（ｂ）や図８（ａ）に矢印で示す方向に相対回転される。これに伴い、外装カバー７の内側にある係合溝９ａ内に形成されたリブ１１も前記矢印の方向に移動する。そのため、爪部４１ｆは、突起４１ａにおいて外装カバー７の装着時に外装カバー７の回転方向、すなわちリブ１１の移動方向手前側に位置する部分に相当する。
【００４９】
また、図５に示すように、スピーカー収容部３ａの外周には、全周にわたって突出した突出部４３ａを有する。突出部４３ａの外径は、上記した外装カバー７の内径と略同一とされている。また、突出部４３ａには、スピーカー収容部３ａの全周を取り囲むように設けられた溝４３ｂを有する。溝４３ｂには、Ｏリング４５が装着されている。
【００５０】
スピーカー収容部３ａにはスピーカー５が収容されている。スピーカー５は、上記した制御基板１２ｂに対して電気的に接続されている。スピーカー５は、制御基板１２ｂからの電気信号を受けて、振動板３８から放射される音を下方に向けて放射可能なように取り付けられている。すなわち、スピーカー５は、図２や図３に示すように、振動板３８が下方を向き、スピーカー５を構成する図示しないコイルや磁石を内蔵したスピーカー本体部４０が上方を向く姿勢とされ、スピーカ収容部３ａの内部に上方から挿入され、収容されている。
【００５１】
脚天部３ｂは、平面視が略環状で、その外径が上記したスピーカー収容部３ａの外径よりもやや大きな平板状の部分である。脚天部３ｂの略中央部には、貫通孔３ｅが設けられている。貫通孔３ｅの開口径は、上記したスピーカー収容部３ａの開口径よりもやや小さい。そのため、スピーカ収容部３ａに収容されているスピーカー５は、脚天部３ｂによって振動板３８の外周部分が支持された状態となっている。
【００５２】
スピーカー収容部３ａおよび脚天部３ｂには、通気用縦貫通孔５１およびおよび通気用横穴５２が設けられている。通気用縦貫通孔５１は、上下方向に貫通した貫通孔である。通気用縦貫通孔５１は、本体部２の組み立て状態において、上記した通気用縦貫通孔５０と連通して一連の通路（以下、主通気路５５ａとも称す）を形成する。また、通気用横穴５２は、主通気路５５ａに合流する通路を形成する。
【００５３】
通気用縦貫通孔５１は、一方側の端部が脚天部３ｂに開口しており、他方側の端部が切欠部３ｇの傾斜面３ｈに開口している。また、図５に示すように、通気用横穴５２は、上記した突起４１ａに対して、脚部３の周方向にずれた位置に設けられている。
【００５４】
また、通気用横穴５２は、スピーカー収容部３ａと脚天部３ｂとの境界部分近傍、具体的には図６（ｃ）に示すように、上記した突出部４３ａであって溝４３ｂに対して下方側に外れた部分に開口領域の一部がさしかかるように設けられている。通気用横穴５２は、スピーカー収容部３ａの径方向に伸びており、上記した通気用縦貫通孔５１と連通している。
【００５５】
スピーカー収容部３ａの内周面に設けられた切欠部３ｇの傾斜面３ｈには、通気用縦貫通孔５１の開口を閉塞するように通気膜５７（膜体）が貼り付けられている。通気膜５７は、空気の通過を許容するが、水の通過を許容しない特性を有するものである。そのため、通気用縦貫通孔５１は、仮に脚天部３ｂの下面側の開口部分から湯水が浸入してきても、通気膜５７によって水の移動が阻止され、スピーカー収容部３ａ側の開口部分から上方に向けて抜けることができない。
【００５６】
脚底部３ｃは、平面視が略円形の板体の略中央部に外観が略山形の円錐部３ｆを有する形状とされている。円錐部３ｆは、その頂部が貫通孔３ｅの中央を通る中心軸上に位置するように略全周にわたって同一の傾斜で傾斜している。立設部３ｄは、脚天部３ｂと脚底部３ｃを繋ぐように両者の間に立設された部分であり、脚部３の周方向に２つ、互いに１８０度ずれた位置に設けられている。脚部３は、立設部３ｄが設けられた位置を除く脚底部３ｃの外周部分において、脚天部３ｂと脚底部３ｃとの間の空間が脚部３の周方向外側に向けて開放された状態となっている。
【００５７】
図２や図６（ｂ）に示すように、脚部３は、スピーカー収容部３ａにスピーカー５を収容した状態において、上記した内蔵ケース８の下端部に設けられたフランジ部２４ｂをスピーカー収容部３ａに対して上方から突き合わせた状態とされる。また、フランジ部２４ｂの下側に設けられた係合部２４ｃは、通気膜５７を介してスピーカー収容部３ａに設けられた切欠部３ｇに突き合わせた状態とされる。この状態でフランジ部２４ｂとスピーカー収容部３ａとをネジ止めすることにより、脚部３が本体部２と一体化されている。
【００５８】
上記したようにして内蔵ケース８と脚部３とが一体化されると、上記した通気用縦貫通孔５０，５１が通気膜５７を介して上下方向に連続した状態になる。これにより、通気用縦貫通孔５０，５１および通気用横穴５２からなる通気路５５が形成される。
【００５９】
本体部２の底部２２と脚部３とを一体化すると、本体部２側に取り付けられたスピーカー５の振動板３８が本体部２の内部に形成された水密な空間（水密部４７）と外部との境界部分に存在した状態になる。また、振動板３８は、脚天部３ｂに設けられた貫通孔３ｅを介して脚底部３ｃに設けられた円錐部３ｆに対向した状態になる。そのため、スピーカー５から放射された音は、脚底部３ｃに設けられた円錐部３ｆに当たって反射し、脚部３の側方に設けられた開放部分から外側に向けて拡がることとなる。
【００６０】
本実施形態のオーディオ装置１は、上記したようにして本体部２と脚部３とを一体化すると共に、本体部２の上方から外装カバー７を被せて、周方向に回転させることにより形成される。外装カバー７は、内側に形成された係合溝９ａ〜９ｃのそれぞれに脚部３の外周に設けられた突起４１ａ〜４１ｃを係合させることにより取り付けられる。具体的には、外装カバー７を装着する際は、先ず脚部３に設けられた突起４１ａと、外装カバー７に設けられた係合溝９ａの縦溝部９ｙとが位置合わせされる。また、他の突起４１ｂ，４１ｃについても、それぞれ係合溝９ｂ，９ｃの縦溝部９ｙに位置合わせされる。この状態で外装カバー７を脚部３側に向けて押し込むと、突起４１ａ〜４１ｃがそれぞれ各係合溝９ａ〜９ｃの縦溝部９ｙ内を上方に向けて摺動する。
【００６１】
外装カバー７の下端部が脚部３に押し込まれると、脚部３に取り付けられたＯリング４５が外装カバー７の内周面に密着した状態になる。そのため、外装カバー７の内側に形成された空間（水密部４７）が閉止された状態になり、水密部４７と外部雰囲気との間に圧力差が発生する。
【００６２】
上記したようにして外装カバー７の内側に形成された空間（水密部４７）が閉止された状態になると、その後外装カバー７が脚部３に対して時計回り方向、すなわち図５（ａ），（ｂ）において矢印で示す方向に相対回転される。これにより、突起４１ａ〜４１ｃのそれぞれが、係合溝９ａ〜９ｃを構成する周溝部９ｘに沿って摺動する。そして、さらに外装カバー７を相対回転させると、やがて係合溝９ａに設けられたリブ１１が突起４１ａに設けられた段部４１ｅと係合した状態になる。
【００６３】
さらに詳細に説明すると、外装カバー７を脚部３に対して相対回転させると、やがて外装カバー７の内側にある係合溝９ａ内に形成されたリブ１１が突起４１ａの爪部４１ｆの端部に当接した状態になる。その後、さらに外装カバー７を相対回転させると、爪部４１ｆの端部に設けられた傾斜に沿ってリブ１１がスライドする。そして、図８（ａ）に示すように爪部４１ｆが設けられた部分に外装カバー７側のリブ１１が乗り上げた状態になる。
【００６４】
上記したようにして爪部４１ｆにリブ１１が乗り上げた状態になると、係合溝９ａにおけるリブ１１の突出量、並びに、脚部３の外周面に対する爪部４１ｆの突出量の和に相当する分だけ外装カバー７が径方向外側に弾性変形した状態になる。これにより、外装カバー７の内周面と脚部３の外周面に備えられたＯリング４５との間に隙間が形成される。そのため、外装カバー７の下端部を脚部３側に押し込んだことによって閉止状態になっていた外装カバー７の内部空間からなる水密部４７が、前記した隙間を介して外部に連通した状態になる。すなわち、爪部４１ｆにリブ１１が乗り上げ、当接した状態において、前記した閉止状態が一時的に解除された状態になる。これにより、前記した水密部４７（内部空間）と外部との圧力差が解消される。
【００６５】
爪部４１ｆにリブ１１が乗り上げた状態からさらに外装カバー７を相対回転させると、図８（ｂ）に示すように、突起４１ａの段部４１ｅにリブ１１が嵌り込んで係合した状態になる。これにより、外装カバー７が、本体部２を構成する脚部３と一体化された状態になると共に、外装カバー７が縮径し、外装カバー７の内周面が脚部３に設けられたＯリング４５によって再び封止された状態になる。
【００６６】
また逆に、内部にセットされている外部メモリ３３の着脱や、電池ボックス６にセットされている電池の交換等を行う際は、上記したのと逆の手順により外装カバー７を取り外すことができる。
【００６７】
図６（ｂ）に示すように、外装カバー７を装着した状態において、外装カバー７の下端部と脚部３の脚天部３ｂとの間に若干の隙間６０が形成される。また、脚部３の外周面に設けられた通気用横穴５２は、開口部分が段違いになっており、脚部３を外側から観察した状態において突出部４３ａよりも下側の部分が上側の部分よりも奥側、すなわち脚部３の径方向内側に位置している。そのため、外装カバー７を装着した状態において、通気用横穴５２の開口の一部、すなわち開口のうち下側の部分は外装カバー７から離れている。さらに、通気用横穴５２は、隙間６０が形成された部分よりもやや上方に開口している。そのため、オーディオ装置１は、図６（ｂ）や図６（ｄ）に矢印で示すように、隙間６０から通気用横穴５２に至る空気が通過可能な通気領域６５を有する。また、通気領域６５は、図６（ｂ）や図６（ｄ）に矢印で示すように、隙間６０から内側に向かって流入する空気を一旦上方に立ち上げた後、通気用横穴５２に案内可能な形状とされている。
【００６８】
また、オーディオ装置１は、外装カバー７を内蔵ケース８および脚部３に対して覆い被さるように装着し、外装カバー７と脚部３とを相対回転させることにより両者が係合した状態となり、内部に水密部４７が形成される。そして、このように外装カバー７と脚部３とが係合するまで相対回転させると、外装カバー７の天面１５に設けられた各ボタン１７が、内蔵ケース８の天面２１ａに設けられた各開口２７に相当する位置に到来する。
【００６９】
すなわち、本実施形態のオーディオ装置１において、天面１５に設けられた各ボタン１７、並びに、内蔵ケース８の天面２１ａに設けられた開口２７の配置は、外装カバー７と脚部３とを係合した状態になることではじめて互いに対応した位置に到来するように調整されている。従って、オーディオ装置１は、脚部３に設けられた突起４１ａが外装カバー７の内側に設けられた係合溝９ａに嵌る状態にならないと、外装カバー７と脚部３とを係合させたり、外装カバー７の天面１５に設けられたボタン１７により制御基板１２ａに設けられた各スイッチ３０を操作することができない構造となっている。
【００７０】
上記したようにして外装カバー７を装着し、オーディオ装置１を組み立てた状態とすると、外装カバー７の外周面１６側から内蔵ケース８を構成するケース本体部２０の円弧部２３に設けられた表示装置２９を外装カバー７の外周面１６を通して視認することができる。
【００７１】
上記したように、本実施形態のオーディオ装置１では、水密部４７を閉止状態とした状況であっても、外装カバー７の内側に設けられたリブ１１と本体部２側に設けられた突起４１ａの爪部４１ｆとが当接し、リブ１１が爪部４１ｆに乗り上げた状態になると、外装カバー７が内側から外側に向かう方向に変形し、水密部４７の閉止状態が一時的に解除され、水密部４７と外部との圧力差が解消される。そのため、本実施形態のオーディオ装置１では、外装カバー７の装着時に水密部４７の内圧が急激に変化することがあったとしても、これを容易に解消することができると共に、水密部４７の圧力変化に伴う音質の変化や、スピーカー５の故障等といったような不具合の発生を抑制することができる。
【００７２】
上記したように本実施形態のオーディオ装置１では、リブ１１および爪部４１ｆが、それぞれ外装カバー７の内周面および本体部２の外周面の周方向に一つずつ設けられている。そのため、外装カバー７を本体部２側に係合させる際に、リブ１１と爪部４１ｆが当接すると、当該当接部分において外装カバー７が径方向外側に大きく弾性変形し、外装カバー７の内周面と脚部３の外周面との間に通気に十分な隙間が形成される。そのため、オーディオ装置１では、外装カバー７の装着に伴って発生する水密部４７と外部との圧力差を効率よく解消することができる。
【００７３】
なお、上記実施形態では、外装カバー７の内周面と脚部３の外周面との間に形成される隙間をなるべく大きくとることを目的として、リブ１１および爪部４１ｆを外装カバー７や脚部３の周方向に一つずつ設けた構成を例示したが、本発明はこれに限定されるものではなく、周方向に複数設けられていてもよい。
【００７４】
上記した構成に加えて、オーディオ装置１は、本体部２の底側を閉塞している脚部３の脚天部３ｂに、通気路５５を構成する通気用縦貫通孔５１が開口しており、これを介して本体部２の内外が設置状態を基準として上下方向に連通している。また、通気路５５を構成する通気用横穴５２は、脚部３を構成する脚天部３ｂの外周面に開口しており、通気用縦貫通孔５０，５１が連通して形成される上下方向に伸びる通路に連通している。さらに、通気用横穴５２は、図６（ｂ）などに示すように、脚天部３ｂと外装カバー７の間に形成された隙間６０や通気領域６５を介してオーディオ装置１の外部と連通している。そのため、オーディオ装置１は、通気路５５を介して本体部２が通気可能な状態となっている。従って、オーディオ装置１は、浴室のように室温の変化の大きい雰囲気下に設置されても、本体部２の内外が略同圧に維持される。よって、オーディオ装置１は、浴室のように室温の変化の大きい雰囲気下で使用されても、スピーカー５が動作不良を起こしたり、スピーカー５が故障するといったような不具合が起こりにくい。
【００７５】
上記したように、本実施形態のオーディオ装置１では、本体部２側に設けられたスイッチ３０に対応する位置に外装カバー７のボタン１７が到来するように外装カバー７を装着しなければ、スイッチ３０を作動させることができない。従って、本実施形態のオーディオ装置１では、本体部２に対して適切な位置関係で外装カバー７が装着され、水密部４７と外部との圧力差が解消され、外装カバー７と本体部２とが係合状態になってはじめてスピーカー５が作動することとなる。よって、オーディオ装置１では、水密部４７の内外の圧力差に起因する音質変化やスピーカー５の故障が起こる可能性を最小限に抑制することができる。
【００７６】
上記したように、オーディオ装置１は、外装カバー７の内部に形成された水密部４７内にある内蔵ケース８に制御基板１２ａ，１２ｂが内蔵されている。そして、制御基板１２ａに対して、スピーカー５を介して出力される音声の音源となるデータを供給するための外部メモリ３３を着脱可能とされている。また、内蔵ケース８内に、オーディオ装置１の電源となる電池を着脱できる構成となっている。そのため、オーディオ装置１では、外部メモリ３３や電池等を着脱する際に外装カバー７を本体部２から取り外す構成とされており、水密部４７内の圧力変動が起こりやすい傾向にある。しかし、オーディオ装置１では、上記したような構成により、本体部２に対する外装カバー７の取り付けの過程で水密部４７の内外の圧力差を容易かつスムーズに解消することができる構造となっている。そのため、本実施形態のオーディオ装置１では、外部メモリ３３や電池の着脱を行った後であっても、前記した圧力差による音質の変化やスピーカー５の不具合が起こらない。
【００７７】
上記した実施形態では、スピーカー５として、振動板３８の形状によりコーン型に分類されるものを採用した例を例示したが、本発明はこれに限定されるものではなく、ドーム形の振動板を使ったドーム型スピーカーや平面型、ベンディングウェーブ型等に分類されるものであってもよい。また、スピーカー５は、変換方式による分類によりダイナミック型に分類されるものや、マグネティック型、コンデンサ型（静電型）、圧電型等、従来公知のものから適宜選択することができる。スピーカー５は、振動の放射方式による分類や再生帯域による分類においても適宜のものを選択することができる。
【００７８】
上記実施形態で示したオーディオ装置１は、通気膜５７を主通気路５５ａに対して傾斜するように取り付けることにより、通気膜５７の横断面積を大きくとるものであったが本発明はこれに限定されるものではなく、通気膜５７を主通気路５５ａに対して略直交するように取り付けた構成としてもよい。また、オーディオ装置１は、主通気路５５ａの中途に拡径部５１ａを設け、これに通気膜５７を取り付けた構成であったが、本発明はこれに限定されるものではない。具体的には、拡径部５１ａを持たない構成等としてもよい。
【００７９】
上記したオーディオ装置１は、本体部２の外観が略円筒状のものであったが、本発明はこれに限定されるものではない。具体的には、オーディオ装置１は、例えば断面形状が正方形や矩形、多角形の筒等であってもよい。
【００８０】
上記実施形態のオーディオ装置１は、外部メモリ３３としていわゆるＵＳＢメモリを採用した例を例示したが、本発明はこれに限定されるものではなく、例えばＳＤメモリーカード（Secure Digital memory card）やハードディスク等、適宜のものを採用することができる。また、オーディオ装置１は、外部の通信網や装置と有線あるいは無線で接続可能な構成とし、外部の通信網や装置から送信されてきた音声データをスピーカー５を介して再生できるものであってもよい。また、オーディオ装置１は、音声データだけでなく、表示装置２９を介して動画データや静止画データを表示（再生）可能なものであってもよい。
【００８１】
オーディオ装置１は、制御基板１２ａに接続された外部メモリ３３から読み込まれた音声データを適宜再生可能なものであったが、本発明はこれに限定されるものではない。具体的には、オーディオ装置１は、ラジオチューナーやテレビチューナーを備えており当該チューナーで受信したラジオ放送やテレビ放送を視聴可能なものであったり、従来公知のカセットテープやＣＤ（Compact Disc）、ＭＤ（Mini Disc）、ＤＶＤ（Digital Versatile Disk）から音声データや画像データを読み込み、これをスピーカー５や表示装置２９により再生可能なものであってもよい。
【００８２】
上記実施形態では、外装カバー７の取り付け不良により電気・電子部材が故障等するのを防止すべく、外装カバー７がしっかりと取り付けられてはじめてボタン１７を押圧することによりスイッチ３０を操作可能な構成としたが、本発明はこれに限定されるものではなく、このような構成を採用していないものであってもよい。
【図面の簡単な説明】
【００８３】
【図１】本発明の一実施形態にかかるオーディオ装置を示す斜視図である。
【図２】図１のオーディオ装置の断面図である。
【図３】図１のオーディオ装置の分解斜視図である。
【図４】図１のオーディオ装置の分解斜視図である。
【図５】（ａ）は図１のオーディオ装置を脚部側から観察した状態における脚部近傍の構造を示す斜視図であり、（ｂ）は突起近傍を拡大した斜視図である。
【図６】（ａ）は脚部のスピーカ収容部の一部を示す斜視図、（ｂ）は脚部と本体部とを一体化した状態における要部を拡大した斜視図、（ｃ）は（ｂ）を矢印Ａ方向から見た状態を示す正面図、（ｄ）は脚部のスピーカ収容部近傍の構造を拡大して示す断面図である。
【図７】（ａ）外装カバーを示す断面図であり、（ｂ）は外装カバーに設けられた係合溝の一つを拡大した斜視図である。
【図８】（ａ）は外装カバーを装着する過程におけるリブ部と段部との位置関係を示す要部拡大斜視図であり、（ｂ）は外装カバーを装着した状態におけるリブ部と段部との位置関係を示す要部拡大斜視図である。
【符号の説明】
【００８４】
１    オーディオ装置（防水型電気・電子機器）
２    本体部
３    脚部
５    スピーカー
９    係合溝
１１    リブ（カバー側突出部）
１７    ボタン（操作ボタン）
３０    スイッチ（操作スイッチ）
４１    突起
４１ｅ  段部
４１ｆ  爪部（本体側突出部）
４７    水密部（内部空間）
【図１】
2008278064.tif 000003
【図２】
2008278064.tif 000004
【図３】
2008278064.tif 000005
【図４】
2008278064.tif 000006
【図５】
2008278064.tif 000007
【図６】
2008278064.tif 000008
【図７】
2008278064.tif 000009
【図８】
2008278064.tif 000010